(57)【要約】【課題】機器システム回路図を提供する際にシステム異常が起きたかのような違和感を与えないようにする。【解決手段】回路図提供装置１０は、機器システム回路図の全容をユーザーに提供するに当たり、サーバー３０に対して、回路図に含まれる電装品パーツＰＳｄを配したパーツ配置図に結線図ＬＳｄを付加したパーツ・結線描画全域回路図データを最先に送信するよう要求する。次いで、回路図提供装置１０は，送信を受けたパーツ・結線描画全域回路図データに基づくパーツ・結線描画全域回路図を表示した後、回路要素描画分割回路図データ（ａ）〜（ｅ）を順次送信するよう、サーバー３０に要求する。【選択図】図６
2015035035.tif 000002
【特許請求の範囲】
【請求項１】
複数の電装品を含んで構成される機器システムごとの回路図をサーバーから取得して表示機器に表示する回路図提供装置であって、
前記回路図の提供対象となる前記機器システムの特定をユーザーから受け付け、該特定された機器システムの前記回路図を画像表示するための回路図描画データであって、前記特定された機器システムを構成する前記複数の電装品ごとの電装品パーツ図を配したパーツ配置図を画像表示するためのパーツ配置描画データと、前記電装品パーツ図以外の残余回路図要素を前記パーツ配置図における前記電装品パーツ図の描画位置と関連付けて画像表示するための残余回路図要素描画データとを含む前記回路図描画データの送信を前記サーバーに要求する送信要求部と、
前記サーバーから送信を受けた前記回路図描画データに基づく前記回路図を前記表示機器に画像表示する表示制御部とを備え、
前記送信要求部は、
前記サーバーに対して、前記特定された機器システムについての前記回路図描画データのうちの少なくとも前記パーツ配置描画データを、最先に送信するよう要求した後に、前記パーツ配置描画データの送信に続く前記残余回路図要素描画データの送信を、前記表示機器に表示可能な表示領域ごとに前記残余回路図要素描画データを分割した分割済み描画データを送信単位として順次実行するよう要求し、
前記表示制御部は、
前記最先に送信が要求されて前記サーバーから送信を受けた前記パーツ配置描画データに基づく前記パーツ配置図を前記表示機器に画像表示した後に、前記表示機器に表示済みの前記パーツ配置図に、前記送信単位ごとに送信を受けた前記分割済み描画データに基づく画像を重畳して表示する
回路図提供装置。
【請求項２】
請求項1に記載の回路図提供装置であって、
前記送信要求部は、前記特定された機器システムに含まれる電装品の特定をユーザーから受け付け、該ユーザーにより前記電装品が特定されると、前記分割済み描画データを送信単位とした前記残余回路図要素描画データの前記サーバーへの送信要求に際して、前記特定された電装品に対応する前記電装品パーツ図を含む前記分割済み描画データの送信を要求し、その後は、前記特定された電装品に対応する前記電装品パーツ図を含む前記分割済み描画データに隣接する順に、前記分割済み描画データの送信を要求し、
前記表示制御部は、前記最先に送信が要求されて前記サーバーから送信を受けた前記パーツ配置描画データに基づく前記パーツ配置図を、前記特定された電装品に対応する前記電装品パーツ図が前記表示機器の表示領域に含まれるように、前記表示機器に画像表示する回路図提供装置。
【請求項３】
請求項２に記載の回路図提供装置であって、
前記表示制御部は、前記最先に送信が要求されて前記サーバーから送信を受けた前記パーツ配置描画データに基づく前記パーツ配置図を表示する際に、前記特定された電装品に対応する前記電装品パーツ図をハイライト表示する回路図提供装置。
【請求項４】
請求項1ないし請求項３のいずれか一項に記載の回路図提供装置であって、
前記残余回路図要素描画データには、前記電装品同士の実際の結線を反映して前記パーツ配置図における前記電装品パーツ図を結線する結線図を前記パーツ配置図に重畳して画像表示するための結線描画データと、前記結線図における結線の結線情報と結線の接続端子を表す端子情報とを前記パーツ配置図に重畳して画像表示するための結線情報描画データと、前記パーツ配置図における前記電装品パーツ図に対応する電装品の電装品情報を前記パーツ配置図に重畳して画像表示するための電装品情報描画データとが含まれ、
前記送信要求部は、前記パーツ配置描画データに加えて前記結線描画データも最先に送信するよう要求し、
前記表示制御部は、前記パーツ配置描画データに基づく前記パーツ配置図に前記結線描画データに基づく前記結線図を重畳して画像表示する回路図提供装置。
【請求項５】
請求項1ないし請求項４のいずれか一項に記載の回路図提供装置であって、
前記表示制御部は、前記残余回路図要素描画データを前記分割済み描画データを送信単位として順次送信を受ける際に、順次送信を受ける全ての前記残余回路図要素描画データに対して送信済みの前記分割済み描画データが占める割合の算出に必要なデータの送信を受け、前記表示機器に前記算出した割合を画像表示する回路図提供装置。
【発明の詳細な説明】
【技術分野】
【０００１】
本発明は、回路図提供装置に関する。
【背景技術】
【０００２】
近年では、各種の機器システム、例えば、車両におけるブレーキ制御の向上、ハイブリッドシステムにおける燃費向上等のため、用いる電装品の多様化、多品種化が進み、機器システムの実際の機器配線回路は元より、その回路図にあっても複雑化している。そして、このように複雑化した機器システム回路図に含まれる電装品間の結線状況を提示する技術が種々提案されており、各種データをネットワークを介して分割送信する手法も提案されている（例えば、特許文献１等）。
【先行技術文献】
【特許文献】
【０００３】
【特許文献１】特開２００２−３１５１２４号公報
【特許文献２】特開２０１０−１９９７１７号公報
【特許文献３】特開２００４−２００８３１号公報
【発明の概要】
【発明が解決しようとする課題】
【０００４】
例えば、車両における各種の機器システムは、車種や車両グレード等により相違すると共に、日々改良が加えられている。その一方、車両保守部門や保守請負企業において、各システムの保守・点検時には、電装品間の配線状況を調べる必要があり、この際には、システムの設計回路を配線とこの配線を電装品に接続するための種々のコネクターとを用いた回路図に書き換えたものが使われている。しかしながら、上記したようにシステムの複雑化や電装品数増加により、この書き換え回路図にあっても、当然に複雑化し、システム改良に伴い新旧の回路図が必要となる。このため、車両保守部門や保守請負企業で、全ての機器システムについての回路図を蓄積しておくことは実用的とは言えないので、上記の特許文献においても、サーバーから必要な回路図のデータの提供を受けることがなされている。こうしたデータ送信に際して、上記の特許文献で提案されたようなデータの分割送信手法を用いたとしても、分割送信を受けたデータを受信元で再構築するまでは回路図表示がなされない。データの分割送信とデータ再構築を得た回路図表示までに要する待機時間は、サーバーとのデータ送信を図るデータ通信網の通信周波数帯域が狭いほど長くなる。このため、広帯域のデータ通信が望めない環境であったり、分割送信を受けた機器でのデータ再構築処理速度が低いと、上記の待機時間が長い故に、ユーザーにシステム異常が起きたかのような違和感を与えてしまうことが危惧される。こうした違和感は、送信される回路図データのデータ量が多いほど長くなる、或いはデータ再構築処理速度が低いほど顕著となることから、その改善が要請されるに到った。この他、機器システムの改良に対処可能な回路図提供や、汎用性の向上、低コスト化への対処を図ることも望ましい。なお、車両を例に挙げ説明したが、船舶や航空機、工作機械、工場設備等にあっても同様である。
【課題を解決するための手段】
【０００５】
上記した課題の少なくとも一部を達成するために、本発明は、以下の形態として実施することができる。
【０００６】
（１）本発明の一形態によれば、回路図提供装置が提供される。この回路図提供装置は、複数の電装品を含んで構成される機器システムごとの回路図をサーバーから取得して表示機器に表示する回路図提供装置であって、前記回路図の提供対象となる前記機器システムの特定をユーザーから受け付け、該特定された機器システムの前記回路図を画像表示するための回路図描画データであって、前記特定された機器システムを構成する前記複数の電装品ごとの電装品パーツ図を配したパーツ配置図を画像表示するためのパーツ配置描画データと、前記電装品パーツ図以外の残余回路図要素を前記パーツ配置図における前記電装品パーツ図の描画位置と関連付けて画像表示するための残余回路図要素描画データとを含む前記回路図描画データの送信を前記サーバーに要求する送信要求部と、前記サーバーから送信を受けた前記回路図描画データに基づく前記回路図を前記表示機器に画像表示する表示制御部とを備える。そして、前記送信要求部は、前記サーバーに対して、前記特定された機器システムについての前記回路図描画データのうちの少なくとも前記パーツ配置描画データを、最先に送信するよう要求した後に、前記パーツ配置描画データの送信に続く前記残余回路図要素描画データの送信を、前記表示機器に表示可能な表示領域ごとに前記残余回路図要素描画データを分割した分割済み描画データを送信単位として順次実行するよう要求し、前記表示制御部は、前記最先に送信が要求されて前記サーバーから送信を受けた前記パーツ配置描画データに基づく前記パーツ配置図を前記表示機器に画像表示した後に、前記表示機器に表示済みの前記パーツ配置図に、前記送信単位ごとに送信を受けた前記分割済み描画データに基づく画像を重畳して表示する。
【０００７】
上記形態の回路図提供装置では、まず、電装品パーツ図を配したパーツ配置図を画像表示するパーツ配置描画データの送信をサーバーから最先に受け、この送信を受けたパーツ配置描画データに基づいたパーツ配置図を表示機器に画像表示する。パーツ配置描画データは、電装品パーツ図を配したパーツ配置図を画像表示できるに足りるデータであることから、機器システムごとの回路図を画像表示するデータの全てである回路図描画データに比すれば、データ量は限られる。よって、上記形態の回路図提供装置によれば、ユーザーにより特定された機器システムについての回路図描画データの送信をサーバーに要求した後、表示機器にパーツ配置図を速やかに画像表示できるので、ユーザーに与えるシステム異常の違和感を抑制できる。また、上記形態の回路図提供装置は、パーツ配置描画データの送信に続く残余回路図要素描画データの送信を、回路図描画データに比してデータ量が限られる分割済み描画データを送信単位として順次受け、送信単位ごとに送信を受けた分割済み描画データに基づく画像をパーツ配置図に順次重畳して表示する。上記形態の回路図提供装置によれば、送信を受けた分割済み描画データを分割前の状態に構築する必要がないので、この点からも、ユーザーに与えるシステム異常の違和感を抑制できる。この他、機器システムごとの回路図を画像表示する回路図描画データは、サーバーから送信され、必要に応じてサーバーサイドで修正・追加等がなされるので、上記形態の回路図提供装置は、こうした修正・追加等がなされた回路図描画データの送信を受けることができ、汎用性が高まる。上記形態の回路図提供装置の側での回路図描画データの記憶が不要なことは、回路図提供装置のコスト低下にも寄与する。
【０００８】
（２）上記形態の回路図提供装置において、前記送信要求部は、前記特定された機器システムに含まれる電装品の特定をユーザーから受け付け、該ユーザーにより前記電装品が特定されると、前記分割済み描画データを送信単位とした前記残余回路図要素描画データの前記サーバーへの送信要求に際して、前記特定された電装品に対応する前記電装品パーツ図を含む前記分割済み描画データの送信を要求し、その後は、前記特定された電装品に対応する前記電装品パーツ図を含む前記分割済み描画データに隣接する順に、前記分割済み描画データの送信を要求し、前記表示制御部は、前記最先に送信が要求されて前記サーバーから送信を受けた前記パーツ配置描画データに基づく前記パーツ配置図を、前記特定された電装品に対応する前記電装品パーツ図が前記表示機器の表示領域に含まれるように、前記表示機器に画像表示するようにできる。こうすれば、ユーザーには、ユーザー自身が特定した電装品に対応する電装品パーツ図を当初から含んだ状態でパーツ配置図を提供できる。このため、ユーザー自身が特定した電装品に対応する電装品パーツ図の周辺のパーツ配置図のスクロール表示等が可能となる。
【０００９】
（３）上記形態の回路図提供装置において、前記表示制御部は、前記最先に送信が要求されて前記サーバーから送信を受けた前記パーツ配置描画データに基づく前記パーツ配置図を表示する際に、前記特定された電装品に対応する前記電装品パーツ図をハイライト表示するようにできる。こうすれば、ユーザーに、ユーザー自身が特定した電装品に対応する電装品パーツ図を印象付けることができる。
【００１０】
（４）上記したいずれかの形態の回路図提供装置において、前記残余回路図要素描画データには、前記電装品同士の実際の結線を反映して前記パーツ配置図における前記電装品パーツ図を結線する結線図を前記パーツ配置図に重畳して画像表示するための結線描画データと、前記結線図における結線の結線情報と結線の接続端子を表す端子情報とを前記パーツ配置図に重畳して画像表示するための結線情報描画データと、前記パーツ配置図における前記電装品パーツ図に対応する電装品の電装品情報を前記パーツ配置図に重畳して画像表示するための電装品情報描画データとが含まれ、前記送信要求部は、前記パーツ配置描画データに加えて前記結線描画データも最先に送信するよう要求し、前記表示制御部は、前記パーツ配置描画データに基づく前記パーツ配置図に前記結線描画データに基づく前記結線図を重畳して画像表示するようにできる。こうすれば、ユーザーには、パーツ配置図に結線図を重畳した画像を当初から提供できる。
【００１１】
（５）上記したいずれかの形態の回路図提供装置において、前記表示制御部は、前記残余回路図要素描画データを前記分割済み描画データを送信単位として順次送信を受ける際に、順次送信を受ける全ての前記残余回路図要素描画データに対して送信済みの前記分割済み描画データが占める割合の算出に必要なデータの送信を受け、前記表示機器に前記算出した割合を画像表示するようにできる。こうすれば、ユーザーには、回路図の提供状態を提示できるので、ユーザーに与えるシステム異常の違和感をより抑制できる。
【００１２】
なお、本発明は、種々の形態で実現することが可能であり、例えば、機器システムごとの回路図のユーザーへの提供方法や、機器システムごとの回路図をサーバーから取得してユーザーに提供するプログラム、或いはこのプログラムを記憶した記憶媒体等の形態の他、車両や船舶、航空機、工作機械、工場設備等の機器システムごとの回路図のユーザーへの提供装置や提供方法の形態とすることもできる。
【図面の簡単な説明】
【００１３】
【図１】本発明の実施形態としての回路図提供装置１０とサーバー３０との関係を概念的に説明する説明図である。
【図２】回路図提供装置１０の概略構成を示すブロック図である。
【図３】サーバー３０とコンピューター１１とを接続して構成される回路図提供システムにて構築する検索・表示処理の機能ブロック図である。
【図４】回路図提供装置１０がサーバー３０から送信を受ける回路図データを説明するための説明図である。
【図５】一つの例としての機器システムについてこれに含まれる電装品パーツ図と結線等を含んで画像表示した回路図を示す説明図である。
【図６】図５の機器システムにおけるパーツ・結線描画全域回路図をパーツ・結線描画全域回路図データに基づいて描画した様子を示す説明図である。
【図７】回路要素描画分割回路図データ（ａ）に基づいて図５における機器システム回路図の分割領域（ａ）の回路要素を描画した様子を示す説明図である。
【図８】回路要素描画分割回路図データ（ｂ）に基づいて図５における機器システム回路図の分割領域（ｂ）の回路要素を描画した様子を示す説明図である。
【図９】回路要素描画分割回路図データ（ｃ）に基づいて図５における機器システム回路図の分割領域（ｃ）の回路要素を描画した様子を示す説明図である。
【図１０】回路要素描画分割回路図データ（ｄ）に基づいて図５における機器システム回路図の分割領域（ｄ）の回路要素を描画した様子を示す説明図である。
【図１１】回路要素描画分割回路図データ（ｅ）に基づいて図５における機器システム回路図の分割領域（ｅ）の回路要素を描画した様子を示す説明図である。
【図１２】図５に示した機器システム回路図についてのリンクデータの内容を概略的に示す説明図である。
【図１３】クライアント端末としての回路図提供装置１０が実行する回路図提供処理を示すフローチャートである。
【図１４】ユーザーによるブラウザ起動に伴う初期入力画面表示の様子を概略的に示す説明図である。
【図１５】サーバー３０から送信されたシステム回路情報の受信に伴う回路図特定画面の表示の様子を概略的に示す説明図である。
【図１６】サーバー３０から送信を受けたパーツ・結線描画全域回路図データにより画像表示される画像を示す説明図である。
【図１７】入力パーツのセンタリングとハイライト表示を行った上でパーツ・結線描画全域回路図データに基づくパーツ・結線描画全域回路図の画像表示の様子を示す説明図である。
【図１８】サーバー３０から送信を受けた回路要素描画分割回路図データ（ｃ）により画像表示される画像を示す説明図である。
【図１９】表示済みのパーツ・結線描画全域回路図に回路要素描画分割回路図データ（ｃ）に基づいた画像を重畳表示した様子を示す説明図である。
【図２０】回路要素描画分割回路図データ（ｃ）に続いてサーバー３０から送信を受けた回路要素描画分割回路図データ（ｄ）により画像表示される画像を示す説明図である。
【図２１】回路要素描画分割回路図データ（ｄ）に続いてサーバー３０から送信を受けた回路要素描画分割回路図データ（ｂ）により画像表示される画像を示す説明図である。
【図２２】回路要素描画分割回路図データ（ｂ）に続いてサーバー３０から送信を受けた回路要素描画分割回路図データ（ｅ）により画像表示される画像を示す説明図である。
【図２３】回路要素描画分割回路図データ（ｅ）に続いてサーバー３０から送信を受けた回路要素描画分割回路図データ（ａ）により画像表示される画像を示す説明図である。
【図２４】表示済みのパーツ・結線描画全域回路図に回路要素描画分割回路図データ（ｄ）に基づいた画像を重畳表示した様子を示す説明図である。
【図２５】表示済みのパーツ・結線描画全域回路図に回路要素描画分割回路図データ（ｂ）に基づいた画像を重畳表示した様子を示す説明図である。
【図２６】表示済みのパーツ・結線描画全域回路図に回路要素描画分割回路図データ（ｅ）に基づいた画像を重畳表示する様子を示す説明図である。
【図２７】表示済みのパーツ・結線描画全域回路図に回路要素描画分割回路図データ（ａ）に基づいた画像を重畳表示する様子を示す説明図である。
【図２８】パーツ・結線描画全域回路図データに基づくパーツ・結線描画全域回路図の画像表示の様子を示す説明図である。
【図２９】パーツ・結線描画全域回路図データに続いて送信を受けた回路要素描画分割回路図データ（ａ）により画像表示される画像を示す説明図である。
【図３０】図５の機器システム回路図における電装品パーツＰＳｄのパーツ配置図をパーツ配置図データに基づいて描画した様子を示す説明図である。
【図３１】結線図ＬＳｄを含んだ回路要素描画分割回路図データ（ａ）に基づいて図５における機器システム回路図の分割領域（ａ）の回路要素を描画した様子を示す説明図である。
【図３２】結線図ＬＳｄを含んだ回路要素描画分割回路図データ（ｂ）に基づいて図５における機器システム回路図の分割領域（ｂ）の回路要素を描画した様子を示す説明図である。
【図３３】結線図ＬＳｄを含んだ回路要素描画分割回路図データ（ｃ）に基づいて図５における機器システム回路図の分割領域（ｃ）の回路要素を描画した様子を示す説明図である。
【図３４】結線図ＬＳｄを含んだ回路要素描画分割回路図データ（ｄ）に基づいて図５における機器システム回路図の分割領域（ｄ）の回路要素を描画した様子を示す説明図である。
【図３５】結線図ＬＳｄを含んだ回路要素描画分割回路図データ（ｅ）に基づいて図５における機器システム回路図の分割領域（ｅ）の回路要素を描画した様子を示す説明図である。
【図３６】電装品パーツＰＳｄを含んだ回路要素描画分割回路図データ（ａ）に基づいて図５における機器システム回路図の分割領域（ａ）の回路要素を描画した様子を示す説明図である。
【図３７】電装品パーツＰＳｄを含んだ回路要素描画分割回路図データ（ｂ）に基づいて図５における機器システム回路図の分割領域（ｂ）の回路要素を描画した様子を示す説明図である。
【図３８】電装品パーツＰＳｄを含んだ回路要素描画分割回路図データ（ｃ）に基づいて図５における機器システム回路図の分割領域（ｃ）の回路要素を描画した様子を示す説明図である。
【図３９】電装品パーツＰＳｄを含んだ回路要素描画分割回路図データ（ｄ）に基づいて図５における機器システム回路図の分割領域（ｄ）の回路要素を描画した様子を示す説明図である。
【図４０】電装品パーツＰＳｄを含んだ回路要素描画分割回路図データ（ｅ）に基づいて図５における機器システム回路図の分割領域（ｅ）の回路要素を描画した様子を示す説明図である。
【発明を実施するための形態】
【００１４】
以下、本発明の実施の形態について、図面に基づき説明する。図１は本発明の実施形態としての回路図提供装置１０とサーバー３０との関係を概念的に説明する説明図、図２は回路図提供装置１０の概略構成を示すブロック図である。
【００１５】
回路図提供装置１０は、車両保守部門や保守請負企業等において用いられ、図１に示すように、ネットワークＮＷ（例えば、公衆回線や専用回線、或いはインターネット、イントラネット、ローカルエリアネットワーク（ＬＡＮ）等）を介して、サーバー３０とデータの相互通信が可能に接続されている。回路図提供装置１０は、回路図提供に特化した専用機器にて構成される他、コンピューター１１にて構成することもできる。そして、回路図提供装置１０は、図２に示すように、液晶画面等から構成される表示機器としてのディスプレイ１２と、入出力機器としてのキーボード１４と、マウス１６とを有する。なお、キーボード１４やマウス１６に代えて、或いはこれらデバイスと共に、タブレット端末を用いてもよい。また、回路図提供装置１０は、データを記憶するハードディスクドライブ（以下、ＨＤＤと呼ぶ）１８と、ＣＤ−ＲＯＭ２０の内容を読み取るＣＤドライブ２２と、ネットワーク制御回路３２とを備え、これらを統括制御する中央演算処理装置としてのＣＰＵ２４を、上記各機器並びにＲＡＭ２６、ＲＯＭ２８と相互にバスに接続して備える。
【００１６】
ＣＰＵ２４は、ＨＤＤ１８に格納されている各種プログラムを実行し、その際に、ＨＤＤ１８やＣＤドライブ２２のデータの読み込み、ＲＡＭ２６への一時的なデータの書き込みや読み出し、ディスプレイ１２の表示制御等を行う。ＣＤ−ＲＯＭ２０は、ＨＤＤ１８に転送すべきプログラムや後述の各種データを予め格納しており、これらプログラム・データは、ＣＤドライブ２２を介してＨＤＤ１８に転送される。なお、プログラムやデータは、ＣＤ−ＲＯＭ２０に格納されたものに替えて、フロッピィディスク、光磁気ディスクのほか、ＩＣカード等の種々の携帯型記録媒体（可搬型記録媒体）から転送するように構成することもできる。また、ネットワーク制御回路３２が接続されたネットワークＮＷを介して、各種プログラムやデータをサーバー３０から転送するように構成することもできる。
【００１７】
サーバー３０は、ＣＰＵやＲＯＭ、ＲＡＭ等を含むハード構成において回路図提供装置１０とほぼ同様であり、回路図提供装置１０に提供する回路図データを随時更新して記憶し、その回路図データ等を回路図提供装置１０からの要求に応じて送信する。図３はサーバー３０とコンピューター１１とを接続して構成される回路図提供システムにて構築する検索・表示処理の機能ブロック図である。図示するように、回路図提供に必要な機能をコンピューター１１とサーバー３０で分散して実行すべく、コンピューター１１は、ウェブブラウザ１１ａと表示制御部１１ｂとを有する。よって、コンピューター１１は、ウェブブラウザ１１ａよりインターネットを介してサーバー３０から回路図の画像表示に必要な描画データやその他の各種データを受信し、その受信した描画データに基づく画像を表示制御部１１ｂによりディスプレイ１２に表示する。
【００１８】
サーバー３０は、ｈｔｔｐサーバー３０ａを備え、接続された回路図提供装置１０，延いてはコンピューター１１のＯＳに依存しない汎用性の高いサーバー環境を有する。つまり、サーバー３０は、ジャバサーブレットインターフェース（Ｊａｖａ  Ｓｅｒｖｌｅｔ  Ｉｎｔｅｒｆａｃｅ）３０ｂと、ジャバサーブレット実行環境３０ｃと、ジャバ実行環境３０ｄと、検索処理実行部３０ｅと、後述の各種データを記憶する各種情報記憶部３０ｆとを有し、ウェブブラウザ（コンピューター１１）からの要求に応じて後述の検索処理を実行し、その結果をｈｔｍｌファイルとしてウェブコンテンツ３０ｇに蓄えつつ要求元のウェブブラウザ（コンピューター１１）に送信する。なお、処理の汎用性を高めるためにジャバサーブレットを用いたが、コンピューター１１が所定のＯＳを搭載済みのクライアントコンピュータとして固定されているのであれば、そのコンピューターとのみの間で分散処理が可能な実行環境とすることもできる。
【００１９】
次に、回路図提供装置１０がサーバー３０から取得する回路図データについて説明する。本実施形態は、例えば車両におけるＡＢＳ（アンチブレーキングシステム）や排ガス循環システム、アンチノッキングシステム、アイドルスピードコントロールシステム、トラクションコントロールシステム等の各種の機器システムの回路図を、各システムを構成する複数の電装品ごとの電装品パーツ図を配したパーツ配置図を画像表示するパーツ配置描画データとその他の描画データとを用いて画像描画するに当たり、こうした描画データをサーバー３０に記憶して回路図提供装置１０に送信する点に特徴がある。図４は回路図提供装置１０がサーバー３０から送信を受ける回路図データを説明するための説明図である。
【００２０】
図４に示すように、サーバー３０は、回路図データとして、電装品（パーツ）・コネクターに関してのデータと、コネクターの接続対象となるパーツや配線についてのデータとを各種情報記憶部３０ｆ（図３参照）に記憶している。これは、後述するようにコネクターやパーツを介して、表示対象となるシステム回路図を特定した上で、その特定したシステム回路図の画像表示に必要なデータを回路図提供装置１０からの要求に応じて送信することに備えてのものである。なお、コネクターの接続対象となる電装品（パーツ）としては、種々のアクチュエータとその制御装置、例えば、エンジン関係であれば、エンジン気筒ごとのインジェクタや、ノッキングセンサ、エンジン回転数センサ等とそれらを制御する電子制御装置（ＥＣＵ、コントロールモジュール等）などがある。
【００２１】
パーツ・コネクターに関するデータは、図４に示すように、パーツやコネクターの端面形状と、パーツ或いはコネクターに含まれるピン番号とを描画するための画像データと、各パーツ・コネクターの部品リストデータ、ピン番号の位置情報データ、結線情報データ、使用先システム情報データ等の属性データが含まれている。
【００２２】
パーツ・コネクターの画像データは、後述するようにパーツやコネクターの外観（輪郭）並びにピン番号をディスプレイ１２に画像表示するための画像データである。そして、この画像データは、パーツやコネクターを特定するコードナンバデータと、そのコネクターの色を特定する色データとを関連付けて、パーツ・コネクターごとに記憶されている。
【００２３】
部品リストデータは、パーツとコネクターを特定できる部品リスト名や部品コードの他、コネクターがどの電装品に装着されてどういった機器システムに用いられているかを示すデータであり、後述の検索の際のキーとして用いられる。ピン番号の位置情報データは、パーツやコネクターが有しているピンの位置を特定するデータである。結線情報データは、パーツやコネクターが有する各ピンとこれに接続された配線の情報（例えば、配線を区別する番号や色データ）と、この配線を介した接続先ピン番号と、このピンを有するコネクターを特定するための上記のコードデータと、そのコネクターの部品リスト名とを対応付けたデータである。
【００２４】
システム回路図に含まれるパーツ・配線についてのデータは、車両に含まれるシステム、例えばエンジン制御システム、ＡＢＳシステム、ライト制御システム、室内照明システム等の各機器システムごとに用意され、各機器システムにおけるアクチュエータ・センサー・その電子制御装置等の設計回路に基づいて構築される。そして、このパーツ・配線データには、パーツ・配線を含んで回路図を画像表示するための画像データと、システムリストデータ、パーツ・配線の描画形状・軌跡情報データ、位置情報データ、表記情報データ等の属性データとが含まれる。パーツの画像データは、機器システムに含まれるそれぞれの電装品ごとの電装品パーツを、例えばブロック図的に模式状に表してｘｙ平面状の回路図に配したパーツ配置図として描画する画像データを含んだ上で、各パーツが果たす機能を模式的に表すためのデータ等、そのパーツを回路図において描画するために必要なデータである。配線の画像データは、パーツ同士の実際の結線を反映してパーツ配置図における電装品パーツ図を結線する結線図を、直線或いは屈曲直線の軌跡としてパーツ配置図に重畳して画像表示するためのデータである。
【００２５】
システムリストデータは、システムのタイトルを示すデータであり、そのシステムにおいて配線接続されたパーツを含んで構成される一連の接続系統、例えば、車内通信系統とか、前輪ブレーキセンサー系統、空調系統等を区別するデータと、こうした各接続系統に含まれるパーツ・配線を区別するデータ（例えば、パーツ名称や記号、配線の記号等）を備える。つまり、機器システムのタイトルとそのシステムにおける接続系統に基づいて、その接続系統に含まれるパーツや配線を特定することができる。機器システムに含まれる総てのパーツや配線を特定することもできる。
【００２６】
パーツ・配線の描画形状・軌跡データは、既述した画像データにおけるパーツの描画形状の規定、配線軌跡の規定に必要なデータである。パーツ・配線の位置データは、既述した画像データによるパーツ画像をｘｙ平面回路図のどの位置に配置して描画するかといった描画位置の規定に必要なデータであったり、配線軌跡をｘｙ平面回路図においてパーツ間を結線しつつ描画する際の描画位置規定に必要なデータである。パーツ・配線の表記データは、パーツ間を結ぶ実際の結線の色や実際の結線の接続端子を表す端子番号、パーツ名や機能等をテキスト表記するための情報をパーツ配置図に重畳して画像表示するために必要なデータである。こうしたデータを用いることで、各パーツはｘｙ平面回路図においてその画像が描画されると共に、各配線はその配線軌跡の画像として描画される。この場合、配線についての上記描画軌跡データと描画位置データは、配線実装の際における分岐・結合箇所等の描画のため、これら箇所を配線と一緒に描画するためのデータも含むので、配線軌跡においては分岐・結合箇所等も描画される。
【００２７】
上記したパーツ・配線についてのデータは、パーツや配線を区別する情報（例えば、パーツ名称、パーツ記号、配線符号等）とそれぞれ対応付けられている。よって、後述するようにパーツの特定或いは配線の特定がなされると、その特定したパーツ・配線を上記画像データ等を用いて既述したように描画できる。
【００２８】
例えば、エンジンコントロールシステムでは、インジェクタや、電源、フューズボックス、イグニッションスイッチ等のパーツについての上記データと、これらパーツを結線する配線についての上記データを総て含んで構成されている。よって、ある機器システムに含まれる上記パーツ（電装品）についての上記データと配線についての上記データを総て用いれば、この機器システムの回路図を画像表示できる。図５は一つの例としての機器システムについてこれに含まれる電装品パーツ図と結線等を含んで画像表示した回路図を示す説明図である。
【００２９】
図５に示す機器システム回路図は、機器システムに含まれるそれぞれの電装品ごとの電装品パーツＰＳｄを枠付の矩形形状、枠無しの矩形形状等で描画して回路図内に配置したパーツ配置図を含む。また、この機器システム回路図は、パーツ配置図におけるそれぞれの電装品パーツＰＳｄを結線する結線図ＬＳｄを、実際の結線を反映してパーツ配置図に直線或いは屈曲直線の軌跡としてパーツ配置図に重畳して描画して備える。この他、図５に示す機器システム回路図は、電装品パーツＰＳｄのパーツ間を結ぶ実際の結線の色などの結線テキスト情報Ｌｉｄ、電装品パーツＰＳｄのパーツ間を結ぶ実際の結線の接続端子番号と云った端子テキスト情報Ｃｉｄ、および電装品パーツＰＳｄのパーツ名や当該パーツが果たす機能とパーツ内での結線状況等のパーツテキスト情報Ｐｉｄについても、これらを、パーツ配置図に重畳して描画して備える。パーツ配置図におけるそれぞれの電装品パーツＰＳｄの描画位置は、例えば電装品パーツＰＳｄの左上角部のｘｙ座標で規定され、結線図ＬＳｄについては、電装品パーツＰＳｄにおける端子位置を起点とし，この起点のｘｙ座標と軌跡座標で規定される。結線テキスト情報Ｌｉｄや端子テキスト情報Ｃｉｄおよびパーツテキスト情報Ｐｉｄについては、テキスト表記領域の例えば左上角部のｘｙ座標で規定される。そして、図５の回路図における描画位置を定める上記のｘｙ座標は、図４に示した各種の上記の属性データに格納されている。
【００３０】
本実施形態では、図５に示すような回路図を画像表示できる画像データを機器システムごとにサーバー３０の各種情報記憶部３０ｆに記憶するに当たり、機器システムごとの回路図描画データを、図４に示すように、パーツ・結線描画全域回路図データと、リンクデータと、回路要素描画分割回路図データ（ａ）〜（ｎ）とに分けて記憶する。回路図描画データは、電装品パーツＰＳｄと結線図ＬＳｄを含んで回路図をその全域に亘って画像表示できる回路図データである。図６は図５の機器システムにおけるパーツ・結線描画全域回路図をパーツ・結線描画全域回路図データに基づいて描画した様子を示す説明図である。機器システムごとの回路図描画データに含まれるパーツ・結線描画全域回路図データに基づくことにより、図６に示すように、図５の機器システムに含まれる電装品パーツＰＳｄを配したパーツ配置図にパーツ間の結線図ＬＳｄを重畳描画したパーツ・結線描画全域回路図が得られる。
【００３１】
回路要素描画分割回路図データ（ａ）〜（ｎ）は、図５に示されたような各機器システム回路図を所定の領域で分割した上で、各分割領域に含まれる電装品パーツＰＳｄと結線図ＬＳｄを除く回路要素としてのパーツテキスト情報Ｐｉｄ、結線テキスト情報Ｌｉｄおよび端子テキスト情報Ｃｉｄを画像表示できる回路図データである。本実施形態では、機器システム回路図を分割する分割領域を、サーバー３０から送信されたデータに基づいて画像表示を行う回路図提供装置１０のディスプレイ１２の表示領域を考慮して定めた。例えば、回路図提供装置１０のディスプレイ１２は、通常、１０２４ｘ７６８ピクセル程度の表示解像度を有することから、この表示解像度で表示可能な領域より狭い領域を、機器システム回路図を分割する分割領域とした。そして、サーバー３０は、各機器システム回路図の回路要素描画分割回路図データ（ａ）〜（ｎ）を、上記したパーツ・結線描画全域回路図データと共に各種情報記憶部３０ｆに記憶する。なお、上記した表示解像度より高解像度、或いは低解像度としてもよい。
【００３２】
図７は回路要素描画分割回路図データ（ａ）に基づいて図５における機器システム回路図の分割領域（ａ）の回路要素を描画した様子を示す説明図、図８は回路要素描画分割回路図データ（ｂ）に基づいて図５における機器システム回路図の分割領域（ｂ）の回路要素を描画した様子を示す説明図、図９は回路要素描画分割回路図データ（ｃ）に基づいて図５における機器システム回路図の分割領域（ｃ）の回路要素を描画した様子を示す説明図、図１０は回路要素描画分割回路図データ（ｄ）に基づいて図５における機器システム回路図の分割領域（ｄ）の回路要素を描画した様子を示す説明図、図１１は回路要素描画分割回路図データ（ｅ）に基づいて図５における機器システム回路図の分割領域（ｅ）の回路要素を描画した様子を示す説明図である。パーツテキスト情報Ｐｉｄに基づくテキスト表記、結線テキスト情報Ｌｉｄに基づくテキスト表記および端子テキスト情報Ｃｉｄに基づくテキスト表記がどの分割領域に属するかは、テキスト表記領域の左上角部のｘｙ座標に基づいて規定した。よって、図７や図９に示すように、パーツテキスト情報Ｐｉｄに基づくテキスト表記が隣の分割領域にまで及ぶことになる。また、図７に示すように、一部の電装品パーツＰＳｄについては、これを示す矩形を描画する画像データを含むこともできるようにした。また、図８や図９に示すように、電装品パーツＰＳｄの内部配線や機能を示すパーツテキスト情報Ｐｉｄも、回路要素描画分割回路図データ（ａ）〜（ｎ）に含まれる。
【００３３】
図５〜図１１を用いて説明したように、サーバー３０は、例えば図５に示す機器システム回路図を画像表示する描画データを、図５の機器システムを構成する電装品ごとの電装品パーツＰＳｄを配したパーツ配置図を画像表示するパーツ配置描画データと、この電装品パーツＰＳｄの描画位置と関連付けられた残余の描画データとを含んだ回路図描画データとして記憶する。その上で、サーバー３０は、電装品パーツＰＳｄ以外の残余の描画データを、電装品同士の実際の結線を反映して電装品パーツＰＳｄを結線する結線図ＬＳｄをパーツ配置図に重畳して画像表示する結線描画データと、結線図ＬＳｄにおける結線の結線情報を表す結線テキスト情報Ｌｉｄと結線の接続端子を表す端子テキスト情報Ｃｉｄとをパーツ配置図に重畳して画像表示する結線情報描画データと、電装品パーツＰＳｄに対応する電装品の電装品情報をパーツテキスト情報Ｐｉｄをパーツ配置図に重畳して画像表示する電装品情報描画データとを含んだ描画データとして記憶する。
【００３４】
上記したパーツ・結線描画全域回路図データと回路要素描画分割回路図データ（ａ）〜（ｎ）と共に回路図描画データを構成する図４のリンクデータは、結線描画全域回路図データに基づいた描画と回路要素描画分割回路図データ（ａ）〜（ｎ）に基づいた描画の関連を規定するデータであり、回路図描画データを分割した回路要素描画分割回路図データの単位数、各回路要素描画分割回路図データに基づく画像の重畳書込開始座標等を定める。図１２は図５に示した機器システム回路図についてのリンクデータの内容を概略的に示す説明図である。なお、図１２に示す重畳書込開始座標は、それぞれの回路要素描画分割回路図データ（ａ）〜（ｎ）に含まれる複数の回路要素を一つにグループ化した画像としての座標としてもよく、複数の回路要素ごとの座標としてもよい。
【００３５】
次に、ユーザーへの回路図提供を図る際の回路図提供装置１０の処理について、サーバー３０と関連付けて説明する。図１３はクライアント端末としての回路図提供装置１０が実行する回路図提供処理を示すフローチャートである。
【００３６】
図示するように、クライアント端末たる回路図提供装置１０は、まず、ユーザーによる回路図ブラウザ起動を待機し、ユーザーによるブラウザ起動がなされると、ウェブブラウザ１１ａ（３参照）を起動して、初期入力画面をディスプレイ１２に表示し、ユーザーによるパーツ特定を待機する（ステップＳ３００）。図１４はユーザーによるブラウザ起動に伴う初期入力画面表示の様子を概略的に示す説明図である。この初期入力画面では、その左方表示領域に、コネクター等のパーツリストが一覧表示されるので、ユーザーは、この一覧から、提供を所望する回路図に含まれるパーツを選択し、回路図提供装置１０は、ユーザーによるパーツ特定を待機する。回路図提供装置１０は、図２に示すＲＯＭ２８或いはＨＤＤ１８に選択可能なパーツ名を記憶しているので、ウェブブラウザ１１ａの起動に伴う初期入力画面に、記憶済みパーツ名を一覧表示する。
【００３７】
図１４の初期入力画面にてユーザーによるパーツ選択がなされると、回路図提供装置１０は、その選択入力されたパーツ（以下、入力パーツと称する）に関する入力パーツ情報の送信をサーバー３０に要求すると共に、入力パーツを記憶する（ステップＳ３１０）。こうして記憶された入力パーツは、後述のパーツ配置図の表示の際の検索キーとして用いられる。
【００３８】
サーバー３０は、回路図提供装置１０からの入力パーツ情報の送信要求を待機しており、回路図提供装置１０からステップＳ３１０にて入力パーツの送信要求を受けると、図１３に示す各処理を実行する。サーバー３０は、回路図提供装置１０からの入力パーツ情報の送信要求を受けて、その入力パーツに関する情報を図４のパーツ・コネクターやシステム回路図の各種データから検索し、入力パーツが組み込まれている機器システム回路の名称一覧、例えば、ＡＢＳシステム回路、エンジンコントロールシステム回路等のシステム名称の一覧を略語等を用いて表すシステム回路情報を回路図提供装置１０に送信する（ステップＳ４００）。その後、サーバー３０は、回路図提供装置１０からの新たな要求を待機する（ステップＳ４１０）。サーバー３０から回路図提供装置１０に送信されるシステム回路情報には、システム名称に加え、入力パーツの輪郭を画像表示するパーツ形状データも含まれている。
【００３９】
回路図提供装置１０は、サーバー３０からシステム回路情報の送信を受けると、その送信を受けたシステム回路情報に含まれるシステム名称とパーツ輪郭を図１４に示した初期入力画面に組み込んだ回路図特定画面を表示し、ユーザーによる回路図特定を待機する（ステップＳ３２０）。図１５はサーバー３０から送信されたシステム回路情報の受信に伴う回路図特定画面の表示の様子を概略的に示す説明図である。この回路図特定画面では、ユーザー特定済みの入力パーツの輪郭と入力パーツが組み込まれている機器システム回路の名称一覧（表示対象システム回路候補一覧）とが表示される。よって、ユーザーは、パーツ外観から、入力パーツの特定是非を認識でき、その上で、提供を所望する回路図を表示対象システム回路候補一覧から選択でき、回路図提供装置１０は、ユーザーによる回路図特定を待機する。図１５に示した回路図特定画面は、回路図提供装置１０の側で履歴等の形態で記憶することができる。よって、次回以降の回路図提供において、図１５に示した回路図特定画面の表示から、以下の処理を開始することもできる。
【００４０】
回路図提供装置１０は、図１５に示した回路図特定画面においてユーザーによる回路図の特定を受けると、その特定されたシステム回路図についてのパーツ・配線回路図の描画データの送信をサーバー３０に要求する（ステップＳ３３０）。以下、ユーザーは、図５に示す機器システム回路図の提供を所望して、当該回路図を特定したとして説明する。そうすると、回路図提供装置１０は、図５に示す機器システム回路図についてのパーツ・配線回路図の描画データの送信をサーバー３０に要求する。この要求を受けたサーバー３０は、図４のシステム回路図データ、詳しくはシステムリストデータを検索して、図５の機器システムについての図６のパーツ・結線描画全域回路図を描画するためのパーツ・結線描画全域回路図データ（図４参照）を抽出する。そして、サーバー３０は、その抽出したパーツ・結線描画全域回路図データを、リンクデータ（図１２参照）と共に回路図提供装置１０に送信する（ステップＳ４２０）。図１６はサーバー３０から送信を受けたパーツ・結線描画全域回路図データにより画像表示される画像を示す説明図である。
【００４１】
パーツ・結線描画全域回路図データの送信を受けた回路図提供装置１０は、パーツ・結線描画全域回路図データに基づいた図１６のパーツ・結線描画全域回路図をディスプレイ１２に表示するに当たり、ステップＳ３００で入力を受けた入力パーツのセンタリングとハイライト表示を行う（ステップＳ３４０）。つまり、回路図提供装置１０は、ステップＳ３００で入力を受けて記憶した入力パーツを検索キーに、パーツ・結線描画全域回路図データを検索し、入力パーツに対応する電装品パーツＰＳｄがディスプレイ１２の中央に位置した上で、その電装品パーツＰＳｄが他と異なる色で表示されたりフラッシュ表示されるよう、パーツ・結線描画全域回路図データに基づいたパーツ・結線描画全域回路図の画像表示を行う。図１７は入力パーツのセンタリングとハイライト表示を行った上でパーツ・結線描画全域回路図データに基づくパーツ・結線描画全域回路図の画像表示の様子を示す説明図である。
【００４２】
上記したセンタリング・ハイライト表示に続き、回路図提供装置１０は、入力パーツに対応する電装品パーツＰＳｄを含む回路要素描画分割回路図データの送信をサーバー３０に要求する（ステップＳ３５０）。この要求を受けたサーバー３０は、図５の回路要素描画分割回路図データ（ａ）〜（ｅ）の内で入力パーツに対応する電装品パーツＰＳｄを含む回路要素描画分割回路図データ（ｃ）を回路図提供装置１０に送信し（ステップＳ４４０）、その後のデータ送信の要求を待機する（ステップＳ４５０）。図１８はサーバー３０から送信を受けた回路要素描画分割回路図データ（ｃ）により画像表示される画像を示す説明図である。
【００４３】
回路要素描画分割回路図データ（ｃ）の送信を受けた回路図提供装置１０は、ディスプレイ１２に表示済みのパーツ・結線描画全域回路図に、回路要素描画分割回路図データ（ｃ）に基づいた画像、詳しくは、電装品パーツＰＳｄと結線図ＬＳｄ以外のパーツテキスト情報Ｐｉｄ、結線テキスト情報Ｌｉｄおよび端子テキスト情報Ｃｉｄを重畳して表示する（ステップＳ３６０）。図１９は表示済みのパーツ・結線描画全域回路図に回路要素描画分割回路図データ（ｃ）に基づいた画像を重畳表示した様子を示す説明図である。回路図提供装置１０は、既述したステップＳ３４０における入力パーツのセンタリング表示を行うに当たり、サーバー３０から図１２に示すリンクデータの送信を受けている。よって、回路図提供装置１０は、サーバー３０から送信を受ける図５の回路要素描画分割回路図データ（ａ）〜（ｅ）に対して送信済みの回路要素描画分割回路図データ（ｃ）が占める割合（送信済みデータ割合）を、リンクデータの分割回路図単位数と送信済み分割回路図データの単位とから算出し、その算出した割合を、回路図提供の進行状況として、ディスプレイ１２の下段にパーセント表示する。なお、この送信済みデータ割合は、リンクデータの分割回路図単位数と未送信の分割回路図データの単位とから算出しても良い。
【００４４】
回路要素描画分割回路図データ（ｃ）に基づいた画像の重畳表示に続き、回路図提供装置１０は、回路要素描画分割回路図データ（ｃ）以外の回路要素描画分割回路図データを、入力パーツが含まれる分割回路図に隣接する順に、順次送信するようサーバー３０に要求する（ステップＳ３７０）。本実施形態では、図５に示す機器システム回路図において、回路要素描画分割回路図データ（ｃ）に該当する分割回路図の右隣の分割回路図の回路要素描画分割回路図データ（ｄ）、回路要素描画分割回路図データ（ｃ）に該当する分割回路図の左隣の分割回路図の回路要素描画分割回路図データ（ｂ）、これらの外側の回路要素描画分割回路図データ（ｅ）、回路要素描画分割回路図データ（ａ）の順に、回路要素描画分割回路図データを順次送信するようサーバー３０に要求することにした。
【００４５】
この要求を受けたサーバー３０は、回路要素描画分割回路図データ（ｃ）以外の回路要素描画分割回路図データを、回路要素描画分割回路図データ（ｄ）、回路要素描画分割回路図データ（ｂ）、回路要素描画分割回路図データ（ｅ）、回路要素描画分割回路図データ（ａ）の順に、回路図提供装置１０に順次送信し（ステップＳ４６０）、処理を終了する。この場合、回路図提供装置１０が回路要素描画分割回路図データを受信する都度に、サーバー３０に次の回路要素描画分割回路図データの送信を要求するようにしてもよい。図２０は回路要素描画分割回路図データ（ｃ）に続いてサーバー３０から送信を受けた回路要素描画分割回路図データ（ｄ）により画像表示される画像を示す説明図、図２１は回路要素描画分割回路図データ（ｄ）に続いてサーバー３０から送信を受けた回路要素描画分割回路図データ（ｂ）により画像表示される画像を示す説明図、図２２は回路要素描画分割回路図データ（ｂ）に続いてサーバー３０から送信を受けた回路要素描画分割回路図データ（ｅ）により画像表示される画像を示す説明図、図２３は回路要素描画分割回路図データ（ｅ）に続いてサーバー３０から送信を受けた回路要素描画分割回路図データ（ａ）により画像表示される画像を示す説明図である。
【００４６】
回路要素描画分割回路図データ（ｃ）に続いて送信を受けた順に、回路図提供装置１０は、それぞれの回路要素描画分割回路図データに基づいた画像（パーツテキスト情報Ｐｉｄ、結線テキスト情報Ｌｉｄおよび端子テキスト情報Ｃｉｄ）を、ディスプレイ１２に表示済みのパーツ・結線描画全域回路図に重畳して表示し（ステップＳ３８０）、処理を終了する。ステップＳ３８０における回路図提供装置１０による画像表示は次のようになる。図２４は表示済みのパーツ・結線描画全域回路図に回路要素描画分割回路図データ（ｄ）に基づいた画像を重畳表示した様子を示す説明図、図２５は表示済みのパーツ・結線描画全域回路図に回路要素描画分割回路図データ（ｂ）に基づいた画像を重畳表示した様子を示す説明図、図２６は表示済みのパーツ・結線描画全域回路図に回路要素描画分割回路図データ（ｅ）に基づいた画像を重畳表示する様子を示す説明図、図２７は表示済みのパーツ・結線描画全域回路図に回路要素描画分割回路図データ（ａ）に基づいた画像を重畳表示する様子を示す説明図である。
【００４７】
回路図提供装置１０は、回路要素描画分割回路図データ（ｃ）に続いてその右隣の回路要素描画分割回路図データ（ｄ）の送信を受けると、この回路要素描画分割回路図データ（ｄ）に基づいた画像（パーツテキスト情報Ｐｉｄ、結線テキスト情報Ｌｉｄおよび端子テキスト情報Ｃｉｄ）を、図２４に示すように、表示済みのパーツ・結線描画全域回路図に重畳表示する。この際、回路要素描画分割回路図データ（ｃ）に基づいた画像は表示済みであることから（図１９参照）、図２４では、回路要素描画分割回路図データ（ｄ）に基づいた画像が加わることになる。そして、回路図提供装置１０は、回路要素描画分割回路図データ（ｄ）に基づいた画像の重畳表示に加え、ディスプレイ１２の下段に、回路要素描画分割回路図データ（ｄ）に基づいた画像の重畳表示を済ませた回路図提供の進行状況をパーセント表示する。
【００４８】
次いで、回路図提供装置１０は、回路要素描画分割回路図データ（ｄ）に続いて回路要素描画分割回路図データ（ｃ）の左隣の回路要素描画分割回路図データ（ｂ）の送信を受けると、この回路要素描画分割回路図データ（ｂ）に基づいた画像（パーツテキスト情報Ｐｉｄ、結線テキスト情報Ｌｉｄおよび端子テキスト情報Ｃｉｄ）を、図２５に示すように、表示済みのパーツ・結線描画全域回路図に重畳表示する。この際、回路要素描画分割回路図データ（ｃ）〜（ｄ）に基づいた画像は表示済みであることから（図２４参照）、図２５では、回路要素描画分割回路図データ（ｂ）に基づいた画像が加わることになる。そして、回路図提供装置１０は、回路要素描画分割回路図データ（ｂ）に基づいた画像の重畳表示に加え、ディスプレイ１２の下段に、回路要素描画分割回路図データ（ｂ）に基づいた画像の重畳表示を済ませた回路図提供の進行状況をパーセント表示する。
【００４９】
次いで、回路図提供装置１０は、回路要素描画分割回路図データ（ｂ）に続いて回路要素描画分割回路図データ（ｄ）の左隣の回路要素描画分割回路図データ（ｅ）の送信を受ける。この送信を受けた回路要素描画分割回路図データ（ｅ）に基づいた画像（パーツテキスト情報Ｐｉｄ、結線テキスト情報Ｌｉｄおよび端子テキスト情報Ｃｉｄ）は、図１７のようにセンタリング表示した場合のディスプレイ１２の表示領域を超える領域に含まれるので、図２６では、回路要素描画分割回路図データ（ｅ）に基づいた画像は表示されない。ところが、回路図提供装置１０は、回路要素描画分割回路図データ（ｅ）に基づいた画像を描画するデータ処理を継続しているので、回路要素描画分割回路図データ（ｅ）に基づいた画像は、ユーザーによる画面スクロール操作により、表示される。このように回路要素描画分割回路図データ（ｅ）に基づいた画像の描画のためのデータ処理の際、回路図提供装置１０は、ディスプレイ１２の下段に、回路要素描画分割回路図データ（ｅ）に基づいた画像の重畳表示のためのデータ処理を済ませた回路図提供の進行状況をパーセント表示する。
【００５０】
最後に、回路図提供装置１０は、回路要素描画分割回路図データ（ｅ）に続いて回路要素描画分割回路図データ（ｂ）の右隣の回路要素描画分割回路図データ（ａ）の送信を受ける。この送信を受けた回路要素描画分割回路図データ（ａ）に基づいた画像（パーツテキスト情報Ｐｉｄ、結線テキスト情報Ｌｉｄおよび端子テキスト情報Ｃｉｄ）は、図１７のようにセンタリング表示した場合のディスプレイ１２の表示領域を超える領域に含まれるので、図２７では、回路要素描画分割回路図データ（ａ）に基づいた画像は表示されない。ところが、回路図提供装置１０は、回路要素描画分割回路図データ（ａ）に基づいた画像を描画するデータ処理を継続しているので、回路要素描画分割回路図データ（ａ）に基づいた画像は、ユーザーによる画面スクロール操作により、表示される。このように回路要素描画分割回路図データ（ａ）に基づいた画像の描画のためのデータ処理の際、回路図提供装置１０は、ディスプレイ１２の下段に、回路要素描画分割回路図データ（ａ）に基づいた画像の重畳表示のためのデータ処理を済ませた回路図提供の進行状況をパーセント表示する。
【００５１】
以上説明した構成を備える本実施形態の回路図提供装置１０は、サーバー３０から回路図の画像表示に用いる描画データの送信を受けるに当たり、最先に、電装品パーツＰＳｄを配したパーツ配置図にパーツ間の結線図ＬＳｄを重畳描画したパーツ・結線描画全域回路図を画像表示するパーツ・結線描画全域回路図データ（図６、図１６参照）の送信を受ける（ステップＳ３４０）。回路図提供装置１０は、この最先に送信を受けたパーツ・結線描画全域回路図データに基づいて、電装品パーツＰＳｄを配したパーツ配置図に結線図ＬＳｄを重畳描画したパーツ・結線描画全域回路図をディスプレイ１２に画像表示する。送信を受けたパーツ・結線描画全域回路図データは、電装品パーツＰＳｄを配したパーツ配置図に結線図ＬＳｄを重畳描画できるに足りるデータであることから、機器システムごとの回路図を画像表示するデータの全てである回路図描画データに比すれば、データ量は限られる。よって、本実施形態の回路図提供装置１０によれば、ユーザーにより特定された機器システムについての回路図描画データの送信をサーバー３０に要求した後、ディスプレイ１２にパーツ・結線描画全域回路図（図１６参照）を速やかに画像表示できるので、ユーザーに与えるシステム異常の違和感を抑制できる。
【００５２】
本実施形態の回路図提供装置１０は、サーバー３０に、電装品パーツＰＳｄを配したパーツ配置図にパーツ間の結線図ＬＳｄを重畳描画したパーツ・結線描画全域回路図を画像表示するパーツ・結線描画全域回路図データを最先に送信するよう要求し、このパーツ・結線描画全域回路図データに基づくパーツ・結線描画全域回路図をディスプレイ１２に最先に画像表示する（図１７参照）。よって、本実施形態の回路図提供装置１０によれば、ユーザーには、電装品パーツＰＳｄを配したパーツ配置図にパーツ間の結線図ＬＳｄを重畳描画したパーツ・結線描画全域回路図を当初から提供できる。
【００５３】
本実施形態の回路図提供装置１０は、パーツ・結線描画全域回路図データの送信に続く残余の描画データの送信を、回路図描画データに比してデータ量が限られる回路要素描画分割回路図データ（図７〜図１１、図１８，図２０〜図２３参照）を送信単位として順次受け（ステップＳ３５０〜Ｓ３８０）、送信単位ごとに送信を受けた回路要素描画分割回路図データ（ａ）〜（ｎ）に基づく画像をパーツ・結線描画全域回路図に順次重畳して表示する（図１９、図２４〜図２７参照）。よって、本実施形態の回路図提供装置１０によれば、送信を受けた回路要素描画分割回路図データ（ａ）〜（ｎ）を分割前の状態に構築する必要がないので、順次送信を受けた回路要素描画分割回路図データ（ａ）〜（ｎ）に基づく画像についても、速やかに表示できる。このため、本実施形態の回路図提供装置１０によれば、ユーザーに与えるシステム異常の違和感を高い実効性で抑制できる。しかも、回路要素描画分割回路図データ（ａ）〜（ｎ）に基づく画像は、各分割領域に含まれる電装品パーツＰＳｄと結線図ＬＳｄを除く回路要素としてのパーツテキスト情報Ｐｉｄ、結線テキスト情報Ｌｉｄおよび端子テキスト情報Ｃｉｄを表示するに過ぎない画像であることから、順次送信を受けた回路要素描画分割回路図データ（ａ）〜（ｎ）に基づく画像表示はより速やかとなり、違和感抑制の上で有益となる。
【００５４】
本実施形態の回路図提供装置１０は、例えば図５に示す機器システム回路図を画像表示するためのパーツ・結線描画全域回路図データや回路要素描画分割回路図データ（ａ）〜（ｎ）を記憶しないので、回路図提供装置１０のコスト低下を図ることができる。また、これらデータをサーバー３０に記憶する。よって、サーバー３０の側において、パーツ・結線描画全域回路図データや回路要素描画分割回路図データ（ａ）〜（ｎ）を必要に応じて随時修正・追加等できるので、本実施形態の回路図提供装置１０は、こうした修正・追加等がなされたパーツ・結線描画全域回路図データや回路要素描画分割回路図データ（ａ）〜（ｎ）の送信を受けることができ、汎用性が高まる。
【００５５】
本実施形態の回路図提供装置１０は、ユーザーにより、電装品とこの電装品が組み込まれた機器システムが特定されると（ステップＳ３００〜Ｓ３１０：図１５）、回路要素描画分割回路図データ（ａ）〜（ｎ）ごとのサーバー３０への送信要求に際して、特定された電装品（入力パーツ）に対応する電装品パーツＰＳｄを含む回路要素描画分割回路図データ（ｃ）の送信を要求する（ステップＳ３５０）。そして、本実施形態の回路図提供装置１０は、その後、回路要素描画分割回路図データ（ｃ）に隣接する順、具体的には右隣、左隣、更にその外側での右隣、左隣の順に、回路要素描画分割回路図データ（ａ）〜（ｎ）の送信を要求する。その上で、本実施形態の回路図提供装置１０は、最先に送信が要求されてサーバー３０から送信を受けたパーツ・結線描画全域回路図データに基づくパーツ・結線描画全域回路図（１６参照）を、特定された電装品（入力パーツ）に対応する電装品パーツＰＳｄが含まれる回路要素描画分割回路図データ（ｃ）に基づく画像がディスプレイ１２の表示領域に含まれるように、画像表示する。このため、本実施形態の回路図提供装置１０によれば、ユーザーには、ユーザー自身が特定した電装品に対応する電装品パーツＰＳｄを含んでパーツ・結線描画全域回路図（１６参照）を提供できる。これにより、ユーザー自身が特定した電装品に対応する電装品パーツＰＳｄを提示した上で、その周辺のパーツ配置図のスクロール表示等が可能となる。
【００５６】
本実施形態の回路図提供装置１０は、最先に送信が要求されてサーバー３０から送信を受けたパーツ・結線描画全域回路図データに基づくパーツ・結線描画全域回路図（１６参照）を表示する際に、ユーザーにより特定された電装品に対応する電装品パーツＰＳｄを、ディスプレイ１２においてセンタリングした上でハイライト表示する（図１７参照）。よって、本実施形態の回路図提供装置１０によれば、ユーザーに、ユーザー自身が特定した電装品に対応する電装品パーツＰＳｄを提示した上で、その電装品パーツＰＳｄをユーザーに印象付けることができることから、利便性が高まる。
【００５７】
本実施形態の回路図提供装置１０は、順次送信を受けた回路要素描画分割回路図データ（ａ）〜（ｎ）の順に当該回路図データに基づいた画像表示を行う際に、順次送信を受ける全ての回路要素描画分割回路図データ（ａ）〜（ｎ）に対しての送信済み回路要素描画分割回路図データの割合を、回路図提供の進行状況としてパーセント表示する（図１９、図２４〜図２７参照）。よって、本実施形態の回路図提供装置１０によれば、回路図の提供状態の提示により、ユーザーに与えるシステム異常の違和感をより抑制できる。
【００５８】
次に、他の実施形態について説明する。この実施形態は、センタリングやハイライト表示を行うことなく、機器システム回路図を画像表示する点に特徴がある。例えば、ユーザーは、ある特定の機器システム回路図の全容を当初から把握したい場合がある。こうした場合には、ユーザー所望の機器システム回路図を、所定箇所、例えば回路図の左端部から提示すればよい。こうした要請に応えるべく、本実施形態の回路図提供装置１０は、次のように回路図提供を図る。なお、この実施形態であっても、ハード的な構成は既述した実施形態とほぼ同一である。
【００５９】
この実施形態では、例えば図１４の初期入力画面の左端に機器システム回路図の一覧を表示し、ユーザーから機器システム回路図の特定を受ける。或いは、図１５の回路図特定画面において、センタリング表示の要不要のチェックボックスを表示し、そのチェック状態によってパーツの特定を不要とし、図１５の表示対象システム回路候補一覧から、ユーザーによる機器システム回路図の特定を待機する。以下の説明にあっても、ユーザーは、図５に示す機器システム回路図を特定したとする。ユーザーから機器システム回路図の特定を受けると、この実施形態の回路図提供装置１０は、既述した通りにステップＳ３３０にて、特定されたシステム回路図についてのパーツ・配線回路図の描画データの送信をサーバー３０に要求する。サーバー３０は、この要求を受けて、ユーザー特定の機器システム回路図を検索して図６のパーツ・結線描画全域回路図を描画するためのパーツ・結線描画全域回路図データ（図４参照）を抽出し、当該データ（図１６参照）を、リンクデータ（図１２参照）と共に回路図提供装置１０に送信する（ステップＳ４２０）。
【００６０】
パーツ・結線描画全域回路図データの送信を受けたこの実施形態の回路図提供装置１０は、ステップＳ３４０において、パーツ・結線描画全域回路図データに基づいた図１６のパーツ・結線描画全域回路図を、回路図左端側からディスプレイ１２に表示する。つまり、この実施形態では、既述したステップＳ３４０にて行っていたセンタリングとハイライト表示をスキップする。図２８はパーツ・結線描画全域回路図データに基づくパーツ・結線描画全域回路図の画像表示の様子を示す説明図である。
【００６１】
この実施形態では、パーツ・結線描画全域回路図データの送信を受けた後、回路図提供装置１０は、パーツ・結線描画全域回路図の左端側から、図５の回路要素描画分割回路図データ（ａ）〜（ｅ）の順に各分割回路図データを送信するよう、サーバー３０に要求する。この順次送信の要求を受けたサーバー３０は、回路図提供装置１０に対して、図５の回路要素描画分割回路図データ（ａ）〜（ｅ）の順に各分割回路図データを送信する。図２９はパーツ・結線描画全域回路図データに続いて送信を受けた回路要素描画分割回路図データ（ａ）により画像表示される画像を示す説明図である。その後、回路図提供装置１０は、回路要素描画分割回路図データ（ｂ）〜（ｅ）の順に各分割回路図データの送信を受けるので、回路図提供装置１０は、図２９の表示画像に、回路要素描画分割回路図データ（ｂ）に基づく画像、回路要素描画分割回路図データ（ｃ）に基づく画像、回路要素描画分割回路図データ（ｄ）に基づく画像、回路要素描画分割回路図データ（ｅ）に基づく画像を順次重畳する。この実施形態の回路図提供装置１０にあっても、ユーザーにより特定された機器システムについての回路図描画データの送信をサーバー３０に要求した後、ディスプレイ１２にパーツ・結線描画全域回路図（図１６参照）を速やかに画像表示できるので、既述した実施形態と同様、システム異常の違和感の抑制効果を奏することができる。
【００６２】
次に、また別の実施形態について説明する。この実施形態は、実際の結線を反映してパーツ配置図におけるそれぞれの電装品パーツＰＳｄを結線する結線図ＬＳｄを、既述した結線テキスト情報Ｌｉｄや端子テキスト情報Ｃｉｄおよびパーツテキスト情報Ｐｉｄと同列に扱う点に特徴がある。よって、この実施形態では、結線図ＬＳｄを画像表示するためのデータは、回路要素描画分割回路図データ（ａ）〜（ｎ）に含まれて結線テキスト情報Ｌｉｄ等と一緒にサーバー３０に記憶され、電装品パーツＰＳｄを配したパーツ配置図を画像表示するデータ（パーツ配置図データ）は、単独で扱われる。図３０は図５の機器システム回路図における電装品パーツＰＳｄのパーツ配置図をパーツ配置図データに基づいて描画した様子を示す説明図、図３１は結線図ＬＳｄを含んだ回路要素描画分割回路図データ（ａ）に基づいて図５における機器システム回路図の分割領域（ａ）の回路要素を描画した様子を示す説明図、図３２は結線図ＬＳｄを含んだ回路要素描画分割回路図データ（ｂ）に基づいて図５における機器システム回路図の分割領域（ｂ）の回路要素を描画した様子を示す説明図、図３３は結線図ＬＳｄを含んだ回路要素描画分割回路図データ（ｃ）に基づいて図５における機器システム回路図の分割領域（ｃ）の回路要素を描画した様子を示す説明図、図３４は結線図ＬＳｄを含んだ回路要素描画分割回路図データ（ｄ）に基づいて図５における機器システム回路図の分割領域（ｄ）の回路要素を描画した様子を示す説明図、図３５は結線図ＬＳｄを含んだ回路要素描画分割回路図データ（ｅ）に基づいて図５における機器システム回路図の分割領域（ｅ）の回路要素を描画した様子を示す説明図である。
【００６３】
この実施形態では、サーバー３０は、回路図提供装置１０からユーザー特定のシステム回路図についての描画データの送信を受けると、ユーザー特定の機器システム回路図を検索して図３０のパーツ配置図を描画するためのパーツ配置図データを、リンクデータ（図１２参照）と共に回路図提供装置１０に送信する（ステップＳ４２０）。パーツ配置図データの送信を受けたこの実施形態の回路図提供装置１０は、パーツ配置図データに基づいた図３０のパーツ配置図をディスプレイ１２に表示し、この表示の際には、既述したようにセンタリングとハイライト表示を行う（ステップＳ３４０）。これ以降の処理は、先の実施形態と同様であるので、この実施形態の回路図提供装置１０によっても、既述した効果を奏することができる。
【００６４】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。
【００６５】
上記した実施形態では、ユーザー特定の入力パーツが含まれる回路要素描画分割回路図データ（ｃ）の送信を受けた後に、回路要素描画分割回路図データ（ｃ）に該当する分割回路図の右隣の分割回路図の回路要素描画分割回路図データ（ｄ）、回路要素描画分割回路図データ（ｃ）に該当する分割回路図の左隣の分割回路図の回路要素描画分割回路図データ（ｂ）、これらの外側の回路要素描画分割回路図データ（ｅ）、回路要素描画分割回路図データ（ａ）の順に、回路要素描画分割回路図データを順次送信するようサーバー３０に要求したが、これに限らない。つまり、回路要素描画分割回路図データ（ｃ）の送信を受けた後に、その左隣の分割回路図の回路要素描画分割回路図データ（ｂ）、次いで、右隣の分割回路図の回路要素描画分割回路図データ（ｄ）、その後、回路要素描画分割回路図データ（ａ）、回路要素描画分割回路図データ（ｅ）の順に、送信要求してもよい。
【００６６】
この他、次のような形態の回路図提供装置を採ることも可能である。つまり、複数の電装品を含んで構成される機器システムごとの回路図を、データの相互送信が可能に接続されたサーバーから取得して表示機器に表示し、前記回路図をユーザーに提供するに当たり、前記サーバーは、前記機器システムごとの前記回路図を画像表示する回路図描画データを前記表示機器に表示可能な表示領域ごとに分割した複数の分割済み回路図描画データとして記憶する。回路図提供装置は、前記回路図の提供対象となる前記機器システムの特定と該特定された機器システムに含まれる電装品の特定とをユーザーから受け付けて、前記サーバーに対して、前記分割済み回路図描画データの順次送信を要求する送信要求部と、前記サーバーから送信を受けた前記分割済み回路図描画データに基づく前記回路図を前記表示機器に画像表示する表示制御部とを備える。前記送信要求部は、前記特定された機器システムについての前記回路図描画データのうち前記特定された電装品に対応する前記電装品パーツ図を含む前記分割済み回路図描画データを、最先に送信するよう要求した上で、他の前記分割済み回路図描画データを、前記特定された電装品に対応する前記電装品パーツ図を含む前記分割済み回路図描画データに隣接する順に送信するよう要求する。この形態の回路図提供装置によれば、ユーザーには、ユーザー自身が特定した電装品に対応する電装品パーツ図を含む部分から回路を提供できる。しかも、分割済み回路図描画データのデータ量は、機器システムごとの回路図を画像表示するデータの全てである回路図描画データに比すれば限られるので、この形態の回路図提供装置によっても、ユーザーにより特定された機器システムについての回路図描画データの送信をサーバーに要求した後、表示機器に回路図を分割して速やかに画像表示できるので、ユーザーに与えるシステム異常の違和感を抑制できる。
【００６７】
上記の回路図提供装置は、既述した実施形態における電装品パーツＰＳｄについても、結線テキスト情報Ｌｉｄ等と同列に扱う。そして、上記の回路図提供装置の実施形態では、電装品パーツＰＳｄを配したパーツ配置図を画像表示するためのパーツ配置図データを、回路要素描画分割回路図データ（ａ）〜（ｎ）に含ませてサーバー３０に記憶し、回路要素描画分割回路図データ単位に送信要求並びにデータ送信がなされる。図３６は電装品パーツＰＳｄを含んだ回路要素描画分割回路図データ（ａ）に基づいて図５における機器システム回路図の分割領域（ａ）の回路要素を描画した様子を示す説明図、図３７は電装品パーツＰＳｄを含んだ回路要素描画分割回路図データ（ｂ）に基づいて図５における機器システム回路図の分割領域（ｂ）の回路要素を描画した様子を示す説明図、図３８は電装品パーツＰＳｄを含んだ回路要素描画分割回路図データ（ｃ）に基づいて図５における機器システム回路図の分割領域（ｃ）の回路要素を描画した様子を示す説明図、図３９は電装品パーツＰＳｄを含んだ回路要素描画分割回路図データ（ｄ）に基づいて図５における機器システム回路図の分割領域（ｄ）の回路要素を描画した様子を示す説明図、図４０は電装品パーツＰＳｄを含んだ回路要素描画分割回路図データ（ｅ）に基づいて図５における機器システム回路図の分割領域（ｅ）の回路要素を描画した様子を示す説明図である。なお、これらの図において、電装品パーツＰＳｄや結線図ＬＳｄ、パーツテキスト情報Ｐｉｄ等に基づくテキスト表記がどの分割領域に属するかは、矩形形状や結線軌跡或いはテキスト表記領域の左上角部のｘｙ座標に基づいて規定したので、図３６における最上部の矩形形状の電装品パーツＰＳｄは、分割領域（ｄ）にまで及ぶことになる。
【００６８】
また、上記の各実施形態にて示した回路図は、例えば図５に示すように、ディスプレイ１２に対して左右方向に延びるものとしたが、ディスプレイ１２に対して縦方向に延びる回路図、或いはディスプレイ１２に対して縦横・左右に延びる回路図でもよい。
【００６９】
この実施形態では、図３６〜図４０に示す分割領域に属するデータを送信単位に、回路図提供装置１０からサーバー３０に対して送信要求を行い、サーバー３０は、その要求に沿って回路図提供装置１０に、図３６〜図４０に示す分割領域に属するデータを順次送信する。送信要求の手順は、既述した実施形態に倣えばよい。
【符号の説明】
【００７０】
１０…回路図提供装置
１１…コンピューター
１１ａ…ウェブブラウザ
１１ｂ…表示制御部
１２…ディスプレイ
１４…キーボード
１６…マウス
２４…ＣＰＵ
３０…サーバー
３０ｃ…ジャバサーブレット実行環境
３０ｄ…ジャバ実行環境
３０ｅ…検索処理実行部
３０ｆ…各種情報記憶部
３０ｇ…ウェブコンテンツ
３２…ネットワーク制御回路
ＮＷ…ネットワーク
ＰＳｄ…電装品パーツ
ＬＳｄ…結線図
Ｌｉｄ…結線テキスト情報
Ｃｉｄ…端子テキスト情報
Ｐｉｄ…パーツテキスト情報
【図１】
2015035035.tif 000003
【図２】
2015035035.tif 000004
【図３】
2015035035.tif 000005
【図４】
2015035035.tif 000006
【図５】
2015035035.tif 000007
【図６】
2015035035.tif 000008
【図７】
2015035035.tif 000009
【図８】
2015035035.tif 000010
【図９】
2015035035.tif 000011
【図１０】
2015035035.tif 000012
【図１１】
2015035035.tif 000013
【図１２】
2015035035.tif 000014
【図１３】
2015035035.tif 000015
【図１４】
2015035035.tif 000016
【図１５】
2015035035.tif 000017
【図１６】
2015035035.tif 000018
【図１７】
2015035035.tif 000019
【図１８】
2015035035.tif 000020
【図１９】
2015035035.tif 000021
【図２０】
2015035035.tif 000022
【図２１】
2015035035.tif 000023
【図２２】
2015035035.tif 000024
【図２３】
2015035035.tif 000025
【図２４】
2015035035.tif 000026
【図２５】
2015035035.tif 000027
【図２６】
2015035035.tif 000028
【図２７】
2015035035.tif 000029
【図２８】
2015035035.tif 000030
【図２９】
2015035035.tif 000031
【図３０】
2015035035.tif 000032
【図３１】
2015035035.tif 000033
【図３２】
2015035035.tif 000034
【図３３】
2015035035.tif 000035
【図３４】
2015035035.tif 000036
【図３５】
2015035035.tif 000037
【図３６】
2015035035.tif 000038
【図３７】
2015035035.tif 000039
【図３８】
2015035035.tif 000040
【図３９】
2015035035.tif 000041
【図４０】
2015035035.tif 000042
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
複数の電装品を含んで構成される機器システムごとの回路図をサーバーから取得して表示機器に表示する回路図提供装置であって、
前記回路図の提供対象となる前記機器システムの特定をユーザーから受け付けると、前記特定された機器システムの前記回路図を画像表示するための回路図描画データであって、前記特定された機器システムを構成する前記複数の電装品ごとの電装品パーツ図を配したパーツ配置図を画像表示するためのパーツ配置描画データと、前記電装品パーツ図以外の残余回路図要素を前記パーツ配置図における前記電装品パーツ図の描画位置と関連付けて画像表示するための残余回路図要素描画データとを含む前記回路図描画データの送信を前記サーバーに要求する送信要求部と、
前記サーバーから受信した前記回路図描画データに基づく前記回路図を前記表示機器に画像表示する表示制御部とを備え、
前記送信要求部は、
前記サーバーに対して、前記特定された機器システムについての前記回路図描画データのうちの少なくとも前記パーツ配置描画データの送信を要求し、前記パーツ配置描画データの送信の要求後に、前記残余回路図要素描画データを、前記表示機器に表示可能な表示領域ごとに前記残余回路図要素描画データを分割した分割済み描画データを送信単位として順次送信するように要求し、
前記表示制御部は、
前記サーバーから受信した前記パーツ配置描画データに基づく前記パーツ配置図を前記表示機器に画像表示した後に、前記表示機器に表示済みの前記パーツ配置図に対して、前記送信単位ごとに受信した前記分割済み描画データに基づく画像を重畳して表示する
回路図提供装置。
【請求項２】
請求項１に記載の回路図提供装置であって、
前記送信要求部は、さらに、前記特定された機器システムに含まれる電装品の特定をユーザーから受け付けると、前記分割済み描画データを送信単位とした前記残余回路図要素描画データの前記サーバーへの送信要求に際して、前記特定された電装品に対応する前記電装品パーツ図を含む前記分割済み描画データの送信を要求し、その後に、前記特定された電装品に対応する前記電装品パーツ図を含む前記分割済み描画データに隣接する前記分割済み描画データの送信を順次要求し、
前記表示制御部は、前記サーバーから受信した前記パーツ配置描画データに基づく前記パーツ配置図を、前記特定された電装品に対応する前記電装品パーツ図が前記表示機器の表示領域に含まれるように、前記表示機器に画像表示する回路図提供装置。
【請求項３】
請求項２に記載の回路図提供装置であって、
前記表示制御部は、前記サーバーから受信した前記パーツ配置描画データに基づく前記パーツ配置図を表示する際に、前記特定された電装品に対応する前記電装品パーツ図をハイライト表示する回路図提供装置。
【請求項４】
請求項１から請求項３のいずれか一項に記載の回路図提供装置であって、
前記残余回路図要素描画データは、前記電装品同士の実際の結線を反映して前記パーツ配置図における前記電装品パーツ図を結線する結線図を前記パーツ配置図に重畳して画像表示するための結線描画データと、前記結線図における結線の結線情報と結線の接続端子を表す端子情報とを前記パーツ配置図に重畳して画像表示するための結線情報描画データと、前記パーツ配置図における前記電装品パーツ図に対応する電装品の電装品情報を前記パーツ配置図に重畳して画像表示するための電装品情報描画データとを含み、
前記送信要求部は、さらに、前記残余回路図要素描画データの送信要求前に、前記結線描画データの送信を要求し、
前記表示制御部は、前記パーツ配置描画データに基づく前記パーツ配置図に前記結線描画データに基づく前記結線図を重畳して画像表示する回路図提供装置。
【請求項５】
請求項１から請求項４のいずれか一項に記載の回路図提供装置であって、
前記表示制御部は、前記残余回路図要素描画データを前記分割済み描画データを送信単位として順次受信する際に、順次受信する全ての前記残余回路図要素描画データに対して受信済みの前記分割済み描画データが占める割合の算出に必要なデータを受信し、前記表示機器に前記算出した割合を画像表示する回路図提供装置。
【請求項６】
回路図提供システムであって、
請求項１から請求項５のいずれか一項に記載の回路図提供装置と、
前記サーバーは、
前記パーツ配置描画データおよび前記残余回路図要素描画データを格納する記憶装置と、
前記回路図提供装置から送信が要求された前記パーツ配置描画データおよび前記残余回路図要素描画データを前記回路図提供装置に送信するための送信部とを備える、
システム。
【請求項７】
複数の電装品を含んで構成される機器システムごとの回路図をサーバーから取得して表示機器に表示する回路図提供方法であって、
前記回路図の提供対象となる前記機器システムの特定をユーザーから受け取り、
前記特定された機器システムの前記回路図を画像表示するための回路図描画データであって、前記特定された機器システムを構成する前記複数の電装品ごとの電装品パーツ図を配したパーツ配置図を画像表示するためのパーツ配置描画データと、前記電装品パーツ図以外の残余回路図要素を前記パーツ配置図における前記電装品パーツ図の描画位置と関連付けて画像表示するための残余回路図要素描画データとを含む前記回路図描画データの送信を前記サーバーに要求するに際して、前記特定された機器システムについての前記回路図描画データのうちの少なくとも前記パーツ配置描画データの送信を要求し、その後に、前記残余回路図要素描画データを、前記表示機器に表示可能な表示領域ごとに前記残余回路図要素描画データを分割した分割済み描画データを送信単位として順次送信するように要求し、
前記サーバーから受信した前記回路図描画データに基づく前記回路図を前記表示機器に画像表示するに際して、前記サーバーから受信した前記パーツ配置描画データに基づく前記パーツ配置図を前記表示機器に画像表示し、その後に、前記表示機器に表示済みの前記パーツ配置図に対して、前記送信単位ごとに受信した前記分割済み描画データに基づく画像を重畳して表示する、
回路図提供方法。
【請求項８】
請求項７に記載の回路図提供方法において、さらに、
前記特定された機器システムに含まれる電装品の特定をユーザーから受け取り、
前記分割済み描画データを送信単位とした前記残余回路図要素描画データの前記サーバーへの送信要求に際して、前記特定された電装品に対応する前記電装品パーツ図を含む前記分割済み描画データの送信を要求し、その後に、前記特定された電装品に対応する前記電装品パーツ図を含む前記分割済み描画データに隣接する前記分割済み描画データの送信を順次要求し、
前記サーバーから受信した前記パーツ配置描画データに基づく前記パーツ配置図を、前記特定された電装品に対応する前記電装品パーツ図が前記表示機器の表示領域に含まれるように、前記表示機器に画像表示する、回路図提供方法。
【請求項９】
請求項８に記載の回路図提供方法において、
前記サーバーから受信した前記パーツ配置描画データに基づく前記パーツ配置図を表示するに際して、前記特定された電装品に対応する前記電装品パーツ図をハイライト表示する、回路図提供方法。
【請求項１０】
請求項７から請求項９のいずれか一項に記載の回路図提供方法において、
前記残余回路図要素描画データは、前記電装品同士の実際の結線を反映して前記パーツ配置図における前記電装品パーツ図を結線する結線図を前記パーツ配置図に重畳して画像表示するための結線描画データと、前記結線図における結線の結線情報と結線の接続端子を表す端子情報とを前記パーツ配置図に重畳して画像表示するための結線情報描画データと、前記パーツ配置図における前記電装品パーツ図に対応する電装品の電装品情報を前記パーツ配置図に重畳して画像表示するための電装品情報描画データとを含み、
前記方法はさらに、
前記残余回路図要素描画データの送信を要求する前に、前記結線描画データの送信を要求し、
前記パーツ配置描画データに基づく前記パーツ配置図に前記結線描画データに基づく前記結線図を重畳して画像表示する、回路図提供方法。
【請求項１１】
請求項７から請求項１０のいずれか一項に記載の回路図提供方法であって、
前記残余回路図要素描画データを前記分割済み描画データを送信単位として順次受信するに際して、順次受信する全ての前記残余回路図要素描画データに対して受信済みの前記分割済み描画データが占める割合の算出に必要なデータを受信し、前記表示機器に前記算出した割合を画像表示する、回路図提供方法。